(57)【要約】【課題】ガイドレールの着脱を容易に行なえ、構成部材の再利用の向上を図るようにしたパチンコ機を提供する。【解決手段】ベニヤ板１０に段付き孔３２を形成し、段付き孔３２にガイドレール取付けピン３０を挿入し、ガイドレール取付けピン３０に雌ねじ４５を形成し、この雌ねじ４５に捩じ込まれる座金組込みねじ４７を設け、座金組込みねじ４７を雌ねじ４５に螺合することにより、ガイドレール１１をベニヤ板１０に着脱可能に保持する。ガイドレール１１に傷ができて交換する場合、座金組込みねじ４７をガイドレール取付けピン３０から外すと、ガイドレール取付けピン３０を保持したガイドレール１１は容易にベニヤ板１０から外される。このためベニヤ板１０に不要な力を掛けて破損させなくて済み、ベニヤ板１０の製品性の低下を招くことがなく、ベニヤ板１０を再利用することが可能になる。【選択図】　　　　図３
2004049808.tif 000002
【特許請求の範囲】
【請求項１】
遊技盤の遊技盤本体板の前面側にガイドレールが取付けられるパチンコ機において、
前記遊技盤本体板におけるガイドレールの配置部分に形成される複数個の孔と、
一端側が前記ガイドレールに保持され、他端側が前記孔に挿通されて、ねじ部材を介して前記遊技盤本体板に保持される軸部材と、
を備えたことを特徴とするパチンコ機。
【請求項２】
前記軸部材は雌ねじを形成し、前記ねじ部材は前記雌ねじに捩じ込まれる雄ねじであることを特徴とする請求項１に記載のパチンコ機。
【請求項３】
前記軸部材は雄ねじを形成し、前記ねじ部材は前記雄ねじに捩じ込まれる雌ねじであることを特徴とする請求項１に記載のパチンコ機。
【請求項４】
前記孔は、前記遊技盤本体板の裏面側部分が前面側部分に比して大径とされる段付き孔であり、前記ねじ部材は、前記大径部分に収まるように配置されることを特徴とする請求項１から請求項３までのいずれかに記載のパチンコ機。
【請求項５】
前記軸部材は、前記孔に挿通される軸部材本体と、軸部材本体の一端側に保持されて前記ガイドレールに対面される係止片とからなり、該係止片を介して前記ガイドレールに保持されることを特徴とする請求項１から請求項４までのいずれかに記載のパチンコ機。
【請求項６】
前記係止片には孔が形成され、かつ前記ガイドレールには前記係止片の孔に対応する孔が形成されると共に、前記ガイドレールの孔を通して前記係止片の孔に圧入ピンを圧入することにより、前記軸部材を前記ガイドレールに保持することを特徴とする請求項５に記載のパチンコ機。
【請求項７】
軸部材本体の一端側には、前記ガイドレールの孔より大径のフランジが設けられていることを特徴とする請求項５又は請求項６に記載のパチンコ機。
【請求項８】
前記軸部材は、前記ガイドレールに着脱可能に保持されることを特徴とする請求項１から請求項５までのいずれかに記載のパチンコ機。
【発明の詳細な説明】
【０００１】
【発明の属する技術分野】
本発明はパチンコ機に係り、特にガイドレールの取付けの改良に関するものである。
【０００２】
【従来の技術】
従来のパチンコ機の一例を図５〜図８に示す。図５において、パチンコ機１は、ホールの島に取付けられる外枠２と、額縁形とされて窓（符号省略）を有し、かつ外枠２の一側に蝶番（図示省略）で開閉可能に蝶着された前枠３とを備えている。前枠３は、背面側（図５紙面向う側）には箱形の装着部（図示省略）を設けている。前枠３の前記装着部には、遊技盤４（ゲージ盤）が着脱自在に納められている。
【０００３】
前枠３の前記窓には、遊技盤４の前面（図５紙面手前側）を被うガラス（図示省略）を嵌めたガラス枠５と、前面板６とが上下に並べてそれぞれ開閉自由となるように蝶着されている。前面板６には、前面に賞球を受ける上皿７が設けられている。また、前枠３の下方部分には、下皿（符号省略）や灰皿（符号省略）を設けた下受皿セット８が配設されている。さらに、下受皿セット８に並んで操作ハンドル９が設けられている。
【０００４】
遊技盤４は、ベニヤ板１０（遊技盤本体板）を有し、その前面（表面。図５紙面手前側）には、略円形渦巻状に配置されるガイドレール１１（バンド）が取付けられており、内側に遊技領域（符号省略）を形成している。ガイドレール１１は、図示しない発射機構により打ち出された遊技球１５（図３参照）を遊技盤４の左側上部から前記遊技領域へ送り出すようにしている。
【０００５】
前記遊技領域の中央部には、特別図柄の表示装置を備えたセンター役物１６が配設され、その下方に始動口部材１７（役物）が設けられ、さらに下方に大入賞口部材１８（役物）が設けられている。また、始動口部材１７の両側及びセンター役物１６の両側には入賞口部材１９が設けられている。さらに、センター役物１６の周辺には、風車２０及び図示しない多数本の釘が設けられている。センター役物１６、始動口部材１７、大入賞口部材１８及び入賞口部材１９等は、これらに対応してベニヤ板１０に形成された取付け孔（図示省略）に装着するようにしてベニヤ板１０に取付けられている。ベニヤ板１０の裏面側には図示しない制御用基板が取付けられている。
【０００６】
ガイドレール１１は、図６〜図８に示すように、割りピン２１によりベニヤ板１０に取付けられている。ガイドレール１１におけるベニヤ板１０に取付けられる側の辺部（ガイドレール取付辺部という。）１１ａの近傍には、略矩形の孔（割りピン取付け孔という。）１１ｂがガイドレール１１の長手方向に複数個形成されている。また、ガイドレール１１が取付けられるベニヤ板１０には、ガイドレール１１の複数個の割りピン取付け孔１１ｂに対応して複数個の穴（以下、ベニヤ板下穴という。）２４が形成されている。
このガイドレール１１は、割りピン取付け孔１１ｂに割りピン２１を挿入してこれをつぶし、このつぶされた割りピン２１をベニヤ板下穴２４へ圧入することにより、ベニヤ板１０に取付けられる。
【０００７】
【発明が解決しようとする課題】
ところで、パチンコ機１では、製品組立て工程時又は使用時においてベニヤ板１０又はガイドレール１１に傷などができて不良となり、これらを交換する場合がある。しかしながら、上述した従来技術では、割りピン２１をベニヤ板下穴２４へ圧入することによりガイドレール１１をベニヤ板１０に取付けている。そして、上記交換に際し、ガイドレール１１をベニヤ板１０から外すには、大きな外力を加えることが必要となる。
【０００８】
このため、ベニヤ板１０又はガイドレール１１には、前記大きな外力に伴う痛みが生じて製品性が低下し、使用に耐えないものになることが起こり得た。すなわち、ベニヤ板１０又はガイドレール１１のうち一方が不良となって、当該一方を交換する場合に、交換作業時に、不良でない他方を傷付けてしまい、当該他方の再利用を不可能にしてしまうことになる。
【０００９】
例えば、パチンコ機１の組立て工程では、ベニヤ板１０に釘を打ちつけた後に、ガイドレール１１を装着するのが一般的であるが、その後の工程（例えば組立て最終工程）でガイドレール１１に傷が付いていることが発見されることがある。この場合、傷が付いたガイドレール１１をベニヤ板１０から取り外し、良好なガイドレール１１を前記ベニヤ板１０に装着して対処することが資源の有効利用上から望まれる。しかしながら、上述した従来技術では、傷が付いたガイドレール１１をベニヤ板１０から外す際に、上述したようにベニヤ板１０を損傷させ、再利用できなくなり、上記要望に応えることができなかった。
【００１０】
本発明は、上記事情に鑑みてなされたもので、ガイドレールの着脱を容易に行なえ、構成部材の再利用の向上を図るようにしたパチンコ機を提供することを目的とする。
【００１１】
【課題を解決するための手段】
請求項１記載の発明は、遊技盤の遊技盤本体板の前面側にガイドレールが取付けられるパチンコ機において、前記遊技盤本体板におけるガイドレールの配置部分に形成される複数個の孔と、一端側が前記ガイドレールに保持され、他端側が前記孔に挿通されて、ねじ部材を介して前記遊技盤本体板に保持される軸部材と、を備えたことを特徴とする。
【００１２】
請求項２記載の発明は、請求項１に記載の構成において、前記軸部材は雌ねじを形成し、前記ねじ部材は前記雌ねじに捩じ込まれる雄ねじであることを特徴とする。
請求項３記載の発明は、請求項１に記載の構成において、前記軸部材は雄ねじを形成し、前記ねじ部材は前記雄ねじに捩じ込まれる雌ねじであることを特徴とする。
【００１３】
請求項４記載の発明は、請求項１から請求項３までのいずれかに記載の構成において、前記孔は、前記遊技盤本体板の裏面側部分が前面側部分に比して大径とされる段付き孔であり、前記ねじ部材は、前記大径部分に収まるように配置されることを特徴とする。
請求項５記載の発明は、請求項１から請求項４までのいずれかに記載の構成において、前記軸部材は、前記孔に挿通される軸部材本体と、軸部材本体の一端側に保持されて前記ガイドレールに対面される係止片とからなり、該係止片を介して前記ガイドレールに保持されることを特徴とする。
【００１４】
請求項６記載の発明は、請求項５に記載の構成において、前記係止片には孔が形成され、かつ前記ガイドレールには前記係止片の孔に対応する孔が形成されると共に、前記ガイドレールの孔を通して前記係止片の孔に圧入ピンを圧入することにより、前記軸部材を前記ガイドレールに保持することを特徴とする。
請求項７記載の発明は、請求項５又は請求項６に記載の構成において、軸部材本体の一端側には、前記ガイドレールの孔より大径のフランジが設けられていることを特徴とする。
請求項８記載の発明は、請求項１から請求項５までのいずれかに記載の構成において、前記軸部材は、前記ガイドレールに着脱可能に保持されることを特徴とする。
【００１５】
【発明の実施の形態】
本発明の第１実施の形態に係るパチンコ機１Ａを図１〜図３に基づいて説明する。なお、図５〜図８に示す部材と同等の部材については、同等の符号を付し、その説明は、適宜省略する。
図１及び図３において、ベニヤ板１０（遊技盤本体板）におけるガイドレール１１の配置部分には、後述するガイドレール取付けピン３０（軸部材）が挿入される段付き孔３２が、ガイドレール１１に沿うように複数個（図１及び図３では、便宜上、１個のみを示す。）設けられている。
【００１６】
段付き孔３２は、ベニヤ板１０の裏面側部分（図１下側部分）が前面側部分（図１上側部分）に比して大径とされている。以下、段付き孔３２におけるベニヤ板１０の裏面側部分を段付き孔大径部３２ａといい、前面側部分を段付き孔小径部３２ｂという。
ガイドレール取付けピン３０は、一端側がベニヤ板１０の表面（前面）側で、他端側がベニヤ板１０の裏面側になるようにして段付き孔小径部３２ｂに挿入されるピン本体３４（軸部材本体）と、ピン本体３４の一端側に固着され段付き孔小径部３２ｂより大径のフランジ３５と、フランジ３５（ひいてはピン本体３４の一端側）に固着されガイドレール１１に対面される係止片３６とから、構成されており、ガイドレール１１の孔（以下、圧入ピン３９挿入孔３８という。）を通して係止片３６に圧入ピン３９が圧入されることによりガイドレール１１に保持されている。
【００１７】
係止片３６には孔（以下、係止片孔という。）３６ａが形成されている。ガイドレール１１の前記圧入ピン挿入孔３８は、係止片孔３６ａに臨むように形成されている。そして、係止片３６がガイドレール１１に対面されると、係止片孔３６ａ及び圧入ピン挿入孔３８が連通した状態になり、この状態で、圧入ピン３９が圧入ピン挿入孔３８に挿通し、係止片孔３６ａに圧入されることになる。圧入ピン３９は、係止片孔３６ａ及び圧入ピン挿入孔３８に挿入される軸部（以下、圧入ピン軸部という。）４２と、圧入ピン挿入孔３８の径より大径で圧入ピン軸部４２に連結される頭部（以下、圧入ピン頭部という。）４３から構成されている。
【００１８】
ピン本体３４の他端側には、一端側に延びる雌ねじ４５が形成されている。この雌ねじ４５には、座金４６を備えた座金組込みねじ４７（ねじ部材。雄ねじ）が捩じ込まれるようになっている。座金組込みねじ４７の座金４６の径は段付き孔小径部３２ｂの径より大きく、かつ段付き孔大径部３２ａの径より小さくされている。座金組込みねじ４７の座金４６及び頭部４８は、段付き孔大径部３２ａに収納された状態で、段付き孔３２内に配置され、頭部４８がベニヤ板１０の裏面側に突出しないようになっている。
【００１９】
前記フランジ３５にはスリット５０が形成されている。このフランジ３５のスリット５０にはガイドレール１１のガイドレール取付辺部１１ａ側部分が挿入され、ガイドレール１１がベニヤ板１０から浮き上がった状態になるのを抑制すると共に、ガイドレール１１を補強し、ガイドレール１１の倒れ防止を図るようにしている。
【００２０】
図３に示すように、ガイドレール１１に遊技球１５が当接した場合にも、圧入ピン頭部４３が遊技球１５に当接して遊技球１５の動きを制限しないように、ガイドレール１１の圧入ピン挿入孔３８の高さ寸法及び圧入ピン頭部４３を、所定の大きさに設定している。なお、本実施の形態では、前記圧入ピン頭部４３の場合と同様に、遊技球１５がガイドレール１１の図３左側に係止した場合にも、係止片３６が遊技球１５に当接して遊技球１５の動きを制限しないように、ガイドレール１１の圧入ピン挿入孔３８の高さ寸法及び係止片３６を、所定の大きさに設定している。このように圧入ピン頭部４３及び係止片３６の大きさ等を設定したことにより、本実施の形態では、ガイドレール１１両面のうちいずれの側に圧入ピン頭部４３（又は係止片３６）を配置しても、遊技球１５の動きを制限することにならない。
【００２１】
上記実施の形態では、例えばガイドレール１１に傷ができて交換する場合、座金組込みねじ４７をガイドレール取付けピン３０から外す。すると、ガイドレール取付けピン３０は、ベニヤ板１０から離間する方向に引っ張り上げられることにより、大きな抵抗を受けることなく段付き孔３２（段付き孔小径部３２ｂ）から容易に離脱されることになる。このため、ガイドレール１１に対し図３上方に向く比較的小さな力を作用させることにより、ガイドレール１１は容易にベニヤ板１０から外される。
そして、上述したようにガイドレール１１が容易にベニヤ板１０から外されることにより、ガイドレール１１及びベニヤ板１０に不要な力を掛けて破損させなくて済み、ベニヤ板１０の製品性の低下を招くことがない。このため、ベニヤ板１０を再利用することが可能になる。
【００２２】
また、ベニヤ板１０に傷ができ、かつガイドレール１１の製品性が良好である場合においても、上述したのと同様にして、ガイドレール１１を傷付けることなく容易にベニヤ板１０から外すことができる。このため、ガイドレール１１は、ベニヤ板１０から外された際にも良好な製品性が維持されることになり、再利用できることになる。
【００２３】
さらに、ガイドレール１１のベニヤ板１０からの取り外しを上述したように容易に行えることから、ガイドレール１１及びベニヤ板１０のうち一方が不良となり廃棄する場合にも、当該一方（不良となっているもの）のみを廃棄処分とすることができる。このため、廃棄処分時の分別上、便利なものになる。
【００２４】
本実施の形態では、ガイドレール取付けピン３０に、段付き孔小径部３２ｂに挿入されるピン本体３４の一端側に、段付き孔小径部３２ｂより大径のフランジ３５を設けている。このため、ガイドレール取付けピン３０がベニヤ板１０の裏面側に抜け落ちることを確実に抑制することができる。この場合、ガイドレール取付けピン３０を段付き孔３２に挿入し、この後、ガイドレール取付けピン３０の係止片３６にガイドレール１１を当接させ、この状態で圧入ピン３９でガイドレール取付けピン３０及びガイドレール１１の固定を図ることができる。
【００２５】
なお、ガイドレール取付けピン３０、ガイドレール１１のベニヤ板１０への組付け順番は上記に限定されない。例えば、まず、ガイドレール１１に圧入ピン３９でガイドレール取付けピン３０を固定し、この後、ガイドレール１１に固定されたガイドレール取付けピン３０を段付き孔３２に挿入するようにしてもよい。この場合、ガイドレール１１がガイドレール取付けピン３０に取付けられていることから、段付き孔３２からガイドレール取付けピン３０が抜け落ちることがないので、前記フランジ３５を廃止してもよい。
【００２６】
また、座金組込みねじ４７の座金４６及び頭部４８は、段付き孔大径部３２ａに収納された状態で、段付き孔３２内に配置され、頭部４８がベニヤ板１０の裏面側に突出しない。このため、座金組込みねじ４７の座金４６及び頭部４８が、ベニヤ板１０の裏面側に設けられる制御用基板等の部材に干渉することがない。
本実施の形態では、ベニヤ板１０（遊技盤本体板）におけるガイドレール１１の配置部分に形成される孔が段付き孔３２であり、座金組込みねじ４７の座金４６及び頭部４８が段付き孔大径部３２ａに収納される場合を例にしたが、段付き孔３２に代えて同一径寸法の孔を設け、ベニヤ板１０の裏面側から座金組込みねじ４７の座金４６及び頭部４８が突出するようにしてもよい。なお、この場合、座金組込みねじ４７の座金４６及び頭部４８が制御用基板等の部材に干渉することがないように、孔の位置等を定めることが望ましい。
【００２７】
本実施の形態では、ガイドレール取付けピン３０（軸部材）は、圧入ピン３９によりガイドレール１１に圧入して保持されている場合を例にした。これに対し、例えば係止片３６に雌ねじ（図示省略）を形成し、圧入ピン３９に代えて雌ねじ（図示省略）に螺合するボルト（図示省略）を設け、ガイドレール取付けピン３０（軸部材）をガイドレール１１に着脱自在としてもよい（請求項８に対応する。）。
【００２８】
また、本第１実施の形態では、ガイドレール取付けピン３０（軸部材）に雌ねじ４５を形成し、この雌ねじ４５に捩じ込まれる座金組込みねじ４７（雄ねじ）を設けた場合を例にした。これに対して、ガイドレール取付けピン３０（軸部材）から、雌ねじ４５を廃止して、他端側（図１下側）を一端側（図１上側）に比して細くして雄ねじ（図示省略）を設ける一方、当該雄ねじに捩じ込まれるナット（雌ねじ）を設けるように構成してもよい（請求項３に対応する。）。
【００２９】
本実施の形態では、ガイドレール取付けピン３０を、別物であるピン本体３４、フランジ３５及び係止片３６から構成した場合を例にした。これに対して、ピン本体３４及びフランジ３５を同一物から構成してもよいし、フランジ３５及び係止片３６を同一物で構成してもよい。又、図４に示すように、同一物からなるピン本体３４、フランジ３５及び係止片３６を同一物からガイドレール取付けピン３０Ａを構成してもよい（第２実施の形態）。この第２実施の形態によれば、部品数が少なくなると共に、ピン本体３４、フランジ３５及び係止片３６の固定のための作業が不要となり、その分、生産性の向上を図ることができる。
【００３０】
また、本実施の形態では、遊技盤４の遊技盤本体板がベニヤ板１０である場合を例にしたが、ベニヤ板１０及びこのベニヤ板１０の表面側に貼付されるセル板から遊技盤本体板を構成してもよいし、ベニヤ板１０、セル板及びベニヤ板１０の裏面側に貼付される裏面紙から遊技盤本体板を構成してもよい。
【００３１】
【発明の効果】
請求項１から請求項８までのいずれかに記載の発明によれば、遊技盤本体板におけるガイドレールの配置部分に形成される孔と、一端側が前記ガイドレールに保持され、他端側が前記孔に挿通されて、ねじ部材を介して前記遊技盤本体板に保持される軸部材と、を備えたので、例えばガイドレール及び遊技盤本体板のうち一方に傷ができて交換する場合、ねじ部材を軸部材から外すと、軸部材は、遊技盤本体板から離間する方向に引っ張り上げられることにより、大きな抵抗を受けることなく孔から容易に離脱されることになる。このため、ガイドレールに対し比較的小さな力を作用させることにより、ガイドレールは容易に遊技盤本体板から外されるので、ガイドレール及び遊技盤本体板に不要な力を掛けて破損させなくて済み、ガイドレール及び遊技盤本体のうち他方（不良となっていない方）の製品性の低下を招くことがない。このため、前記他方（不良となっていない方）を再利用することが可能になる。
【図面の簡単な説明】
【図１】本発明の第１実施の形態に係るパチンコ機に用いられるベニヤ板、ガイドレール取付けピン及びガイドレールを模式的に示す断面図である。
【図２】図１のガイドレール取付けピン、ガイドレール及び座金組込みねじを模式的に示す断面図である。
【図３】図１のガイドレールへの遊技球の当接状態を示すための図である。
【図４】本発明の第２実施の形態に係るパチンコ機に用いられるガイドレール取付けピンを示す断面図である。
【図５】従来のパチンコ機の一例を模式的に示す正面図である。
【図６】図５のパチンコ機におけるガイドレールのベニヤ板への取付け例を模式的に示す断面図である。
【図７】図６のガイドレール及び割りピンを示す断面図である。
【図８】図７の割りピンによるガイドレールのパチンコ機への取付けを示すための断面図である。
【符号の説明】
４　　遊技盤
１０　ベニヤ板（遊技盤本体板）
１１　ガイドレール
３０　ガイドレール取付けピン（軸部材）
３２　段付孔
４５　雌ねじ
４７　座金組込みねじ（ねじ部材。雄ねじ）
【図１】
2004049808.tif 000003
【図２】
2004049808.tif 000004
【図３】
2004049808.tif 000005
【図４】
2004049808.tif 000006
【図５】
2004049808.tif 000007
【図６】
2004049808.tif 000008
【図７】
2004049808.tif 000009
【図８】
2004049808.tif 000010